(57)【特許請求の範囲】
【請求項１】
ステータを備えた回転電機であって、
前記ステータは、
軸線方向に延びる円筒状のヨークと、該ヨークの内周面または外周面から該ヨークの径方向に向かって延びる複数のティースとを含むステータコアと、
前記ティースに巻かれたステータコイルとを有し、
前記ステータコアは、磁性材料の粒子を含む粉粒体を用いた圧粉鉄心であり、前記ヨークの周方向に破断面を有する複数のヨーク片を備え、
前記ティースは、前記破断面を有する前記複数のヨーク片のうち少なくとも一部のヨーク片に一つずつ設けられていて、
前記破断面を有する前記複数のヨーク片のうち隣り合うヨーク片は、前記破断面が隣りのヨーク片の前記破断面と接触している、回転電機。
【請求項２】
請求項１に記載の回転電機において、
前記破断面は、前記ヨークを前記軸線方向から見て、前記ステータコイルに電流が流れた際に前記ヨークに生じる磁束の方向に対して直交する方向に延びている、回転電機。
【請求項３】
請求項１または２に記載の回転電機において、
前記ヨークは、前記軸線方向に同心状に積層される複数の筒部を有し、
前記複数の筒部は、それぞれ、前記複数のヨーク片を構成するように周方向に複数に分割されている、回転電機。
【請求項４】
請求項１から３のいずれか一つに記載の回転電機において、
前記ティースは、
前記ステータコイルが巻かれるティース本体部と、
前記ティース本体部よりも前記ティースの先端側に位置するティース先端部とを有し、
前記ティース本体部は、前記軸線方向において、前記ティース本体部の端部が、前記ヨークの端部よりも前記ステータコアの内方に位置する、回転電機。
【請求項５】
請求項１から３のいずれか一つに記載の回転電機において、
前記ティースは、
前記ステータコイルが巻かれるティース本体部と、
前記ティース本体部よりも前記ティースの先端側に位置するティース先端部とを有し、
前記ティース本体部は、前記ヨークの径方向に直交する断面において、少なくとも一部に、前記ティース本体部の外方に向かって凸状のＲ部を有する、回転電機。
【請求項６】
請求項１から５のいずれか一つに記載の回転電機において、
ロータをさらに備え、
前記ティースは、前記ロータに対向している、回転電機。
【請求項７】
請求項６に記載の回転電機において、
前記ティースは、
前記ステータコイルが巻かれるティース本体部と、
前記ティース本体部よりも前記ロータに近いティース先端部とを有し、
前記ティース本体部は、前記軸線方向において、前記ティース本体部の端部が、前記ヨークの端部よりも前記ステータコアの内方に位置する、回転電機。
【請求項８】
請求項１から７のいずれか一つに記載の回転電機において、
前記破断面は、凹凸を有する、回転電機。
【請求項９】
回転電機のステータであって、
軸線方向に延びる円筒状のヨークと、該ヨークの内周面または外周面から該ヨークの径方向に向かって延びる複数のティースとを含むステータコアと、
前記ティースに巻かれたステータコイルとを有し、
前記ステータコアは、磁性材料の粒子を含む粉粒体を用いた圧粉鉄心であり、前記ヨークの周方向に破断面を有する複数のヨーク片を備え、
前記ティースは、前記破断面を有する前記複数のヨーク片のうち少なくとも一部のヨーク片に一つずつ設けられていて、
前記破断面を有する前記複数のヨーク片のうち隣り合うヨーク片は、前記破断面が隣りのヨーク片の前記破断面と接触している、ステータ。
【請求項１０】
請求項９に記載のステータにおいて、
前記破断面は、凹凸を有する、ステータ。
【発明の詳細な説明】
【技術分野】
【０００１】
本発明は、ステータ、及び、該ステータを備えた回転電機に関する。
【背景技術】
【０００２】
従来より、機器を駆動させるために、回転電機としてのモータが用いられている。例えば、モータの構成として、ステータコア及びステータコイルを有するステータと、ロータコア及びマグネットを有するロータとを備えた構成が知られている。このような構成を有するモータにおいて、ステータコアは、円筒状のヨークと、該ヨークの内周面または外周面から該ヨークの径方向に延びる複数のティースとを有する。上述の構成を有するモータは、前記ティースにステータコイルが巻かれている。
【０００３】
近年、モータを大型化することなく、モータによって駆動される機器の出力を増大させるために、モータの出力トルクを高めたいという要求がある。上述のような構成を有するモータの出力トルクを高めるためには、ステータコイルのターン数を多くするか、または、ロータのマグネットの磁束密度を大きくする方法がある。
【０００４】
ステータコイルのターン数を多くする場合、ティースを一つずつ含むように、ステータコアのヨークを周方向に複数の部品に分割する構成が考えられる。例えば、特許文献１に開示されるように、ステータコアが周方向に分割された複数の分割コアによって構成されているとともに、該分割コアのヨークが、隣接する分割コアのヨークに当接するモータが知られている。
【０００５】
前記特許文献１に開示されているように、ステータコアを複数の分割コアによって構成することにより、分割コアの各ティースにステータコイルを容易に巻くことができる。これにより、巻線ノズルを用いて各ティースにステータコイルを巻いた後、該ステータコイルがそれぞれ巻かれた複数の分割コアを、ヨーク同士が当接するように配置した状態で連結することができる。こうすることで、ステータコアが円環状の場合に比べて、分割コアのティースにステータコイルを巻く際にティースの先端同士の間隔を広くすることができる。したがって、ティースに巻かれるステータコイルのターン数を増やすことが可能になるため、ステータコイルのスロット占積率が増加する。よって、モータの効率を向上することができる。
【先行技術文献】
【特許文献】
【０００６】
【特許文献１】特開２０１１−１９３６０号公報
【発明の概要】
【発明が解決しようとする課題】
【０００７】
ところで、特許文献１に開示されているようにステータコアのヨークを複数の部品によって構成する場合、隣り合う部品の接触面はそれぞれ平面である。一般的に、平面同士を、隙間が生じないように接触させることは難しい。そのため、ヨークを構成するように隣り合う部品の接触部分には、隙間が生じる。この隙間によって、ヨークの磁気抵抗は大きくなる。
【０００８】
したがって、特許文献１に開示されている構成のように、ステータコアのヨークを複数の部品によって構成することにより、ティースに対するステータコイルのターン数を増加させることができた場合でも、ステータに生じる磁束密度はあまり大きくならない。よって、モータの出力トルクを高めることができない。
【０００９】
一方、ステータに生じる磁束密度を大きくするためには、ヨークの磁気抵抗の増大を抑制することが好ましい。そのためには、ヨークを、上述のような複数の部品によって構成するのではなく、一体で構成するのが好ましい。しかしながら、このようにヨークを一体で構成すると、ティースに巻かれるステータコイルのターン数を増やすことができない。
【００１０】
以上のように、ステータの磁束密度を大きくするために、ステータコイルのターン数の増加と、ステータコアの磁気抵抗の増大の抑制とを両立することは、困難であった。
【００１１】
したがって、本発明は、ステータコイルのターン数の増加とステータコアの磁気抵抗の増大の抑制との両立が可能な回転電機を得ることを目的とする。
【課題を解決するための手段】
【００１２】
特許文献１に開示されているように、ステータコアのヨークを複数の部品によって構成する場合、隣り合う部品は、平面と平面とが面接触する。そのため、隣り合う部品の接触部分には隙間が生じる。
【００１３】
これに対し、ヨークを構成する部品の接触面に、それぞれ、凹凸を設けることにより、前記部品同士の接触点の数を増加させることができる。そうすれば、前記部品同士の接触部分に生じる隙間が減少するため、ステータコアに生じる磁束密度を大きくすることができる。
【００１４】
本発明者らは、ヨークを構成する部品の接触面に凹凸を設けるために、磁性材料の粒子を含む粉粒体を用いた圧粉鉄心に着目した。圧粉鉄心は、磁性材料の粒子を含む粉粒体の集合体であるため、圧粉鉄心を破断した際に、粒子と粒子との境界に沿って破断が進行する。そのため、破断面に凹凸が形成されやすい。
【００１５】
本発明者らは、磁性材料の粒子を含む粉粒体を用いた圧粉鉄心の上述のような特性に着目して、以下のような構成に想到した。
【００１６】
本発明の一実施形態に係る回転電機は、ステータを備えた回転電機である。前記ステータは、円筒状のヨークと、該ヨークの内周面または外周面から該ヨークの径方向に向かって延びる複数のティースとを含むステータコアと、前記ティースに巻かれたステータコイルとを有する。前記ステータコアは、磁性材料の粒子を含む粉粒体を用いた圧粉鉄心であり、前記ヨークの周方向に破断面を有する複数のヨーク片を備える。前記ティースは、前記破断面を有する前記複数のヨーク片のうち少なくとも一部のヨーク片に一つずつ設けられている。前記破断面を有する前記複数のヨーク片のうち隣り合うヨーク片は、前記破断面が隣りのヨーク片の前記破断面と接触している。
【発明の効果】
【００１７】
本発明の一実施形態に係る回転電機によれば、ステータコイルのターン数の増加とステータコアの磁気抵抗の増大の抑制との両立を図れる。
【図面の簡単な説明】
【００１８】
【図１】本発明の実施形態に係るモータの全体構成を示す斜視図である。
【図２】ステータコアの構成を示す正面図である。
【図３】ヨーク片の構成を示す斜視図である。
【図４】ステータコイルの通電によってステータコアのヨークに生じた磁束の方向を模式的に示す図である。
【図５】その他の実施形態に係るモータの全体構成を示す図１相当図である。
【発明を実施するための形態】
【００１９】
以下で、各実施形態について、図面を参照しながら説明する。なお、各図中の構成部材の寸法は、実際の構成部材の寸法及び各構成部材の寸法比率等を忠実に表したものではない。
【００２０】
＜モータの全体構成＞
図１は、本発明の実施形態に係るモータ１（回転電機）の全体構成を示す斜視図である。このモータ１は、円筒状のステータ２と、該ステータ２の内方に該ステータ２の軸線Ｐと回転中心が一致するように配置された円筒状のロータ３とを備える。すなわち、モータ１は、全体として円筒状に形成されている。モータ１は、例えば、電動自転車のペダル踏力を補助するためのモータなどに用いられる。なお、図１において、符号Ｐは、ステータ２の筒軸方向に延びる軸線を示す。
【００２１】
ステータ２は、円筒状に形成されたステータコア１１と、該ステータコア１１に巻かれたステータコイル１２とを備える。ステータコア１１は、磁性材料の粒子を含む粉粒体からなる圧粉鉄心である。すなわち、ステータコア１１は、成形型を用いて粉粒体を所定の圧力で固めることにより、一体成形されている。
【００２２】
図２に、ステータコア１１の具体的な構成を示す。この図２は、ステータコア１１をステータ２の軸線方向から見た正面図である。図２に示すように、ステータコア１１は、ヨーク２１と、複数のティース２２とを備える。本実施形態では、ステータコア１１は、１２個のティース２２を有する。
【００２３】
ヨーク２１は、円筒状に形成されている。各ティース２２は、ヨーク２１の内周面から該ヨーク２１の内方に向かって延びている。複数のティース２２は、ヨーク２１の内周面上に、ステータ２の軸線方向から見て、周方向に等間隔に並んで形成されている。
【００２４】
ステータコア１１は、図１及び図２に示すように、円筒状のヨーク２１が周方向に複数に破断分割されている。すなわち、ステータコア１１は、破断分割によって形成された複数のヨーク片２１ａを有する。ステータコア１１は、各ヨーク片２１ａがティース２２を１つずつ含むように破断分割されている。そのため、ステータコア１１は、ティース２２と同数のヨーク片２１ａに破断分割されている。本実施形態の場合、ステータコア１１は、各ヨーク片２１ａがティース２２を含むように周方向に１２個に分割されている。ステータコア１１の破断分割の詳細については後述する。
【００２５】
ティース２２は、ステータ２の軸線方向から見て略Ｔ字状に形成されている。すなわち、ティース２２は、ヨーク２１の内周面から該ヨーク２１の内方に向かって延びるティース本体部２２ａと、該ティース本体部２２ａよりもティース２２の先端側に位置するティース先端部２２ｂとを有する。ティース２２は、ロータ３に対向している。ティース先端部２２ｂは、ティース本体部２２ａよりもロータ３に近い。
【００２６】
ティース本体部２２ａは、ヨーク２１の内周面から該ヨーク２１の内方に向かって延びる四角柱状に形成されている。ティース本体部２２ａには、ティース２２の延伸方向に延びる側面の角部分にＲ部２２ｃが形成されている。Ｒ部２２ｃは、ティース２２における前記側面の全ての角部分に形成されていてもよいし、一部の角部分に形成されていてもよい。すなわち、図３に示すように、ティース本体部２２ａは、ティース２２の延伸方向に直交する断面において、少なくとも一部に、ティース本体部２２ａの外方に向かって凸状のＲ部２２ｃを有する。なお、ティース２２の延伸方向は、ステータコア１１（ヨーク２１）の径方向と同じである。
【００２７】
図１に示すように、ティース本体部２２ａには、ステータコイル１２が巻かれている。上述のようにティース本体部２２ａの側面にＲ部２２ｃを設けることにより、該ティース本体部２２ａに巻かれたステータコイル１２が損傷を受けるのを防止できる。なお、Ｒ部２２ｃは、面取りであってもよい。
【００２８】
ティース本体部２２ａは、図３に示すように、ステータ２の軸線方向において、ティース本体部２２ａの端部が、ヨーク２１の端部よりもモータ１の内方に位置するように形成されている。すなわち、ティース本体部２２ａは、前記軸線方向の長さがヨーク２１における前記軸線方向の長さよりも短い。これにより、ティース本体部２２ａにステータコイル１２が巻かれた状態で、ステータ２の軸線方向において、ステータコイル１２がヨーク２１よりもステータ２の外方に突出するのを防止できる。
【００２９】
ティース先端部２２ｂは、図３に示すように、幅方向寸法（ステータ２を軸線方向から見たときの周方向の寸法）及び前記軸線方向の寸法が、ティース本体部２２ａの幅方向寸法及び前記軸線方向の寸法よりも大きい。すなわち、ティース先端部２２ｂは、ティース本体部２２ａに対して前記幅方向及び前記軸線方向に突出している。
【００３０】
このようなティース先端部２２ｂの構成により、ティース本体部２２ａに巻かれたステータコイル１２がティース２２の先端から抜けるのを防止できる。したがって、ティース本体部２２ａに対してステータコイル１２をより確実に巻線することができる。
【００３１】
また、上述のようなティース先端部２２ｂの構成により、ティース本体部２２ａに巻かれたステータコイル１２によって磁界が生じた際に、ティース先端部２２ｂの周辺に、広範囲に強い磁界を形成することができる。
【００３２】
特に図示しないが、ステータコア１１の破断分割によって得られた複数のヨーク片２１ａは、元のステータコア１１を構成するように組み合わされた状態で、保持部材等によって保持される。この保持部材は、複数のヨーク片２１ａを保持するための専用の部材であってもよいし、モータ１を収納するケースによって構成されていてもよい。
【００３３】
図１に示すように、ロータ３は、円筒状に形成されていて、ステータ２の内方に該ステータ２の軸線Ｐと回転中心が一致するように配置されている。特に図示しないが、ロータ３は、回転軸と一体で回転可能なように該回転軸が貫通した状態で該回転軸に固定されている。
【００３４】
ロータ３は、ロータコア３１と、界磁磁石３２とを備える。ロータコア３１は、磁性材料からなる円筒状の部材である。ロータコア３１の外周面には、界磁磁石３２を配置するための複数のスロット３１ａが形成されている。各スロット３１ａは、スロット３１ａ内に界磁磁石３２が配置された状態で、該界磁磁石３２の一部が露出するような深さを有する凹部である。
【００３５】
本実施形態では、図１に示すように、ロータコア３１の外周面にスロット３１ａが１４箇所、形成されている。また、各スロット３１ａは、ロータコア３１の外周面に、ロータコア３１の軸線方向において、ロータコア３１の一方の端部から他方の端部に亘って形成されている。
【００３６】
界磁磁石３２は、永久磁石であり、直方体状に形成されている。界磁磁石３２は、ロータコア３１の外周面に形成されたスロット３１ａ内に、厚み方向の一部が露出した状態で固定されている。
【００３７】
（ステータコアの破断分割）
ステータコア１１のヨーク２１の破断分割について、図２から図４を用いて詳細に説明する。図３は、ステータコア１１のヨーク２１を破断分割して得られるヨーク片２１ａの概略構成を示す斜視図である。図４は、ステータコイル１２に通電して磁界を発生させた際に、ヨーク２１に生じる磁束の方向を模式的に示す図である。
【００３８】
ステータコア１１のヨーク２１は、周方向に複数に破断分割されている。このようにヨーク２１を周方向に複数に破断分割することにより、複数のヨーク片２１ａが形成される。ヨーク片２１ａは、ヨーク２１を分割することにより得られる分割部２１ｃと、ティース２２とを有する。ヨーク２１は、各ヨーク片２１ａがティース２２を１つずつ含むように破断分割されている。
【００３９】
このようにステータコア１１を分割することにより、ティース２２に対してステータコイル１２を巻く際に、隣りのティース２２の影響を受けることがない。よって、ヨーク片２１ａのティース２２にステータコイル１２を容易に巻くことができるとともに、ティース２２に巻かれるステータコイル１２のターン数を多くすることができる。
【００４０】
ヨーク片２１ａの分割部２１ｃは、円筒状のヨーク２１を周方向に破断分割することにより得られる。そのため、分割部２１ｃは、ステータ２の軸線方向から見て、円弧状に形成されている。分割部２１ｃは、前記軸線方向から見て周方向の両端に、破断面２１ｂを有する。すなわち、ヨーク片２１ａは、ヨーク２１の周方向に破断面２１ｂを有する。
【００４１】
破断面２１ｂは、ヨーク２１を前記軸線方向から見て、該ヨーク２１の径方向に延びるように該ヨーク２１を破断分割することにより形成される。ティース２２に巻かれたステータコイル１２に通電することにより、ヨーク２１には、ティース２２からヨーク２１の周方向に磁束が形成される（図４参照）。よって、破断面２１ｂは、図４に示すように、ヨーク２１を前記軸線方向から見て、ステータコイル１２に通電して磁界を生じさせた場合にヨーク２１に生じる磁束の方向（図４中の破線矢印）に対して直交する方向に延びている。
【００４２】
上述の構成のような破断面２１ｂを形成することにより、ヨーク２１を前記軸線方向から見て、破断面２１ｂがヨーク２１に生じる磁束の方向に対して斜めに交差する方向に延びる場合に比べて、破断面２１ｂの面積が小さい。これにより、破断面が磁束の方向に対して斜めに交差する方向に延びている場合に比べて、破断面２１ｂから微細な欠片が脱落する可能性が低くなる。よって、本実施形態の構成により、破断面２１ｂと破断面２１ｂとの間に欠片の脱落によって隙間が形成される可能性を低減できる。したがって、ヨーク２１の磁気抵抗の増大をより確実に抑制することができる。
【００４３】
また、破断面がヨークに生じる磁束の方向に対して斜めに交差する方向に延びている場合には、ヨーク片の破断部分において、ヨーク片の径方向の肉厚が、ヨークの周方向で異なる。これに対し、本実施形態の構成のように、破断面２１ｂをヨーク２１に生じる磁束の方向に対して直交する方向に延びるように形成することで、ヨーク片２１ａの周方向における前記肉厚を均等にすることができる。よって、ヨーク片２１ａの強度低下を抑制することができる。
【００４４】
本実施形態では、ヨーク２１を前記軸線方向から見て、破断面２１ｂが磁束の方向に対して直交する方向に延びるとは、破断面２１ｂが磁束の方向に対して直角に交わる場合に限らず、直角を含む所定の角度の範囲（例えば８０度から１００度の範囲）で交わる場合も含む。
【００４５】
上述のとおり、ステータコア１１は磁性材料の粒子を含む粉粒体からなる圧粉鉄心であるため、該ステータコア１１を破断分割した場合、該ステータコア１１は粒子と粒子との境界に沿って破断する。よって、ヨーク片２１ａの破断面２１ｂは、多数の凹凸を有する。したがって、ヨーク２１を破断分割してヨーク片２１ａを形成した後、元の形のヨーク２１に戻すようにヨーク片２１ａの破断面２１ｂ同士を組み合わせた場合、破断面２１ｂに形成された凹凸同士を噛み合わせることができる。これにより、ヨーク片２１ａの破断面２１ｂ同士の間に空間が形成されにくくなる。
【００４６】
ここで、破断分割とは、ヨーク２１に力を加えることにより、該ヨーク２１を脆性破壊することを意味する。すなわち、破断分割とは、圧粉鉄心であるステータコア１１のヨーク２１を、圧粉鉄心を構成する粒子と粒子との境界に沿って破断するように脆性破壊することを意味する。そのため、ヨーク２１を破断分割した際に形成される破断面２１ｂには、多数の凹凸が形成される。これにより、破断面２１ｂは、梨地状の表面を有する。なお、破断面２１ｂとは、圧粉鉄心であるステータコア１１のヨーク２１において、粒子が凝集力を失って破壊される際に形成された面を意味する。
【００４７】
従来の構成のように、ヨーク片を機械加工等によって形成する場合、ヨーク片同士は平面で接触するため、接触部分に隙間が生じやすい。そのため、ヨークが分割されている場合の該ヨークの磁気抵抗は、一体のヨークに比べて大きくなる。これに対し、本実施形態のように、圧粉鉄心であるステータコア１１のヨーク２１を破断分割して複数のヨーク片２１ａを得ることにより、それらのヨーク片２１ａ同士を組み合わせた際に破断面２１ｂ同士の間に空間が形成されにくい。すなわち、隣り合うヨーク片２１ａにおいて、破断面２１ｂ同士を接触させることにより、ヨーク片２１ａにおける破断面２１ｂの凹凸が隣りのヨーク片２１ａにおける破断面２１ｂの凹凸に接触する。これにより、ヨーク２１を分割した構成であっても、ヨーク２１の磁気抵抗が増大するのを抑制できる。なお、破断面２１ｂ同士の接触は、一方の破断面２１ｂに形成された凹凸が他方の破断面２１ｂの凹凸に対して、凹凸の全部が接触する場合だけでなく、凹凸の一部が接触する場合も含む。
【００４８】
しかも、ステータコア１１は、上述のとおり、磁性材料の粒子を含む粉粒体からなる圧粉鉄心である。そのため、ヨーク２１を破断分割した際に、該ヨーク２１の一部が欠けた場合でも、欠片は粒子と粒子との境界に沿って割れる。よって、欠片の凹凸を、ヨーク片２１ａの欠けた位置の凹凸に噛み合わせることができるとともに、接着剤等を用いて欠片をヨーク片２１ａに容易に固定することができる。したがって、ヨーク片２１ａを容易に修復することができる。
【００４９】
ステータコアが一体の場合、隣り合うティースのティース先端部同士の間隔が狭い。そのため、ティースに対してステータコイルを巻線する場合、ティース先端部同士の間には、巻線を行う装置のノズル等を配置するためのスペースがあまりない。よって、ステータコアが一体の場合には、ティースに対して巻線可能なステータコイルのターン数に制約がある。
【００５０】
これに対し、本実施形態のステータコア１１は、ヨーク片２１ａがティース２２を１つずつ含むように破断分割されている。これにより、巻線装置を用いて各ティース２２に対してステータコイル１２を巻くことが可能になる。したがって、ティース２２に対してステータコイル１２を容易に巻くことができるとともに、ティース２２に対して巻線可能なステータコイル１２のターン数を増やすことができる。
【００５１】
＜実施形態の作用効果＞
本実施形態では、モータ１は、ステータ２を備えている。ステータ２は、軸線方向に延びる円筒状のヨーク２１と、該ヨーク２１の内周面から該ヨーク２１の径方向内方に向かって延びる複数のティース２２とを含むステータコア１１と、ティース２２に巻かれたステータコイル１２とを有する。ステータコア１１は、磁性材料の粒子を含む粉粒体を用いた圧粉鉄心であり、ヨーク２１を周方向に複数に分割することによって形成された破断面２１ｂを有する複数のヨーク片２１ａを備える。複数のヨーク片２１ａは、それぞれ、ティース２２を含む。
【００５２】
本実施形態では、上述のように、ステータコア１１のヨーク２１は、各ヨーク片２１ａがティース２２を含むように、周方向に複数に破断分割されている。これにより、ヨーク片２１ａ毎に、ティース２２に対してステータコイル１２を巻くことが可能になる。よって、ステータコア１１が一体の構成に比べて、ティース２２に巻かれるステータコイル１２のターン数を増やすことが可能になる。これにより、モータ１の出力トルクを向上することができる。
【００５３】
また、本実施形態では、ステータコア１１は、磁性材料の粒子を含む粉粒体を用いた圧粉鉄心である。ステータコア１１のヨーク２１は、周方向に複数に破断分割されているため、破断面２１ｂに凹凸が形成される。これにより、本実施形態の構成のように、ヨーク片２１ａの破断面２１ｂ同士を組み合わせることによってステータコア１１を構成する場合には、隣り合うヨーク片２１ａの破断面２１ｂにおける接触点の数が、複数の部品の平面同士を組み合わせることによってステータコアを構成する場合に比べて多い。よって、本実施形態の構成により、ヨーク２１の磁気抵抗の増大を抑制することができる。
【００５４】
したがって、本実施形態の構成により、ステータコイル１２のターン数の増加と、ステータコア１１の磁気抵抗の増大の抑制との両立を図れる。
【００５５】
本実施形態では、破断面２１ｂは、ヨーク２１を前記軸線方向から見て、ステータコイル１２に電流が流れた際にヨーク２１に生じる磁束の方向に対して直交する方向に延びている。
【００５６】
ヨーク２１を複数のヨーク片２１ａに破断分割した場合、破断面２１ｂから微細な欠片が脱落する可能性がある。欠片が脱落した部分は、ヨーク片２１ａを破断面２１ｂ同士で組み合わせた際に隙間を生じるため、その部分で磁気抵抗が大きくなる。
【００５７】
これに対し、上述の構成のような破断面２１ｂを形成することにより、ステータ２の軸線方向から見て、破断面がヨークに生じる磁束の方向に対して斜めに交差する方向に延びている場合に比べて、破断面２１ｂの面積が小さい。これにより、破断面が磁束の方向に対して斜めに交差する方向に延びている場合に比べて、破断面２１ｂから微細な欠片が脱落する可能性が低くなる。よって、本実施形態の構成により、破断面２１ｂと破断面２１ｂとの間に隙間が形成される可能性を低減できる。したがって、ヨーク２１の磁気抵抗の増大をより確実に抑制することができる。
【００５８】
また、破断面がヨークに生じる磁束の方向に対して斜めに交差する方向に延びている場合には、ヨーク片の破断部分において、ヨーク片の径方向の肉厚が、ヨークの周方向で異なる。このようなヨーク片の肉厚の差は、該ヨーク片の強度に影響する。これに対し、本実施形態の構成のように、破断面２１ｂをヨーク２１に生じる磁束の方向に対して直交する方向に延びるように形成することで、ヨーク片２１ａの周方向における前記肉厚を均等にすることができる。よって、ヨーク片２１ａの強度低下を抑制することができる。
【００５９】
本実施形態では、ティース２２は、ステータコイル１２が巻かれるティース本体部２２ａと、該ティース本体部２２ａよりもティース２２の先端側に位置するティース先端部２２ｂとを有する。ティース本体部２２ａは、ステータ２の軸線方向において、ティース本体部２２ａの端部が、ヨーク２１の端部よりもステータコア１１の内方に位置する。
【００６０】
ステータ２の軸線方向において、ティース２２のティース本体部２２ａの端部は、ヨーク２１の端部よりもステータコア１１の内方に位置する。そのため、ステータコイル１２をティース本体部２２ａに巻いた場合、ステータコイル１２をティース２２に対してコンパクトに巻線することができる。したがって、モータ１を大型化することなく、ステータコイル１２のターン数を増加させることができる。
【００６１】
本実施形態では、ティース２２は、ステータコイル１２が巻かれるティース本体部２２ａと、ティース本体部２２ａよりもティース２２の先端側に位置するティース先端部２２ｂとを有する。ティース本体部２２ａは、ヨーク２１の径方向に直交する断面において、少なくとも一部に、ティース本体部２２ａの外方に向かって凸状のＲ部２２ｃを有する。
【００６２】
ティース２２のティース本体部２２ａにＲ部２２ｃを設けることにより、該ティース本体部２２ａにステータコイル１２を巻いた場合に、該ステータコイル１２がティース本体部２２ａによって損傷を受けるのを防止できる。Ｒ部２２ｃは、ティース本体部２２ａをヨーク２の径方向に直交する断面で見て、ティース本体部２２ａのすべての角部分に設けることがより好ましい。これにより、ティース本体部２２ａにステータコイル１２を巻いた場合に、該ステータコイル１２がティース本体部２２ａによって損傷を受けるのをより確実に防止できる。
【００６３】
（その他の実施形態）
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００６４】
前記実施形態では、ステータコア１１のヨーク２１は、周方向に複数に破断分割されている。しかしながら、ステータコア１１をステータ２の軸線方向に複数に分割してもよい。
【００６５】
例えば図５に示すように、モータ１００のステータコア１０１を、ステータの軸線方向に２つに分割してもよい。具体的には、ステータコア１０１は、前記軸線方向に同心状に積層される２つの円環状部品１０２，１０３（筒部）を有する。これらの円環状部品１０２，１０３は、例えば、ステータコア１０１のヨーク１１１及びティース１１２がそれぞれ前記軸線方向に２つに分割された部分を含む。すなわち、２つの円環状部品１０２，１０３を前記軸線方向に積層することにより、ステータコア１０１が構成される。なお、特に図示しないが、２つの円環状部品１０２，１０３の間には、樹脂材料からなる絶縁部材が配置される。
【００６６】
これらの円環状部品１０２，１０３を、それぞれ、前記実施形態のように、周方向に複数のヨーク片１０２ａ，１０３ａに破断分割する。この場合も、前記実施形態と同様、ティース１１２を構成する部分を含むように、円環状部品１０２，１０３をそれぞれ破断分割する。
【００６７】
以上のように、ヨーク１１１をステータの軸線方向に同心状に積層された複数の円環状部品１０２，１０３によって構成することにより、一体で構成されたヨークにおける前記軸線方向の長さに比べて、円環状部品１０２，１０３においてヨーク１１１を構成する部分の前記軸線方向の長さは短い。よって、円環状部品１０２，１０３を周方向に容易に破断分割することができる。
【００６８】
しかも、上述の構成では、ヨーク１１１が前記軸線方向に積層された複数の円環状部品１０２，１０３によって構成されている。よって、前記軸線方向において、２つの円環状部品１０２，１０３のそれぞれに渦電流が生じる。そのため、上述の構成は、ステータコアが前記軸線方向に一体の構成に比べて、ステータコア１０１の前記軸線方向に生じる渦電流を低減できる。これにより、ステータコア１０１の温度上昇を抑えることができる。したがって、モータ１００の出力トルクを高めることができる。
【００６９】
なお、上述の構成では、ステータコア１０１は、２つの円環状部品１０２，１０３を前記軸線方向に積層することによって構成されている。しかしながら、ステータコアは、３つ以上の円環状部品を前記軸線方向に積層することによって、構成されてもよい。
【００７０】
前記実施形態では、ヨーク２１を前記軸線方向から見て、ステータコイル１２に通電して磁界を生じさせた場合にヨーク２１に生じる磁束の方向に対して直交する方向に延びるように、ヨーク片２１ａに破断面２１ｂが形成されている。しかしながら、磁束の方向に対して斜めに交差する方向に延びるように、ヨーク片に破断面２１ｂが形成されていてもよい。
【００７１】
前記実施形態では、モータ１は、円筒状のステータ２の内方に該ステータ２の軸線Ｐと回転中心が一致するように円筒状のロータ３が配置されたインナーロータ型のモータである。しかしながら、モータ１は、円筒状または円柱状のステータの外方に、該ステータの軸線と回転中心が一致するように円筒状のロータが配置されたアウターロータ型のモータであってもよい。なお、アウターロータ型のモータの場合、ステータコアのティースは、円筒状または円柱状のヨークの外周面から該ヨークの径方向外方に向かって延びている。
【００７２】
前記実施形態では、モータ１は、ロータコア３１の外周面上に界磁磁石３２が配置されたＳＰＭ（Ｓｕｒｆａｃｅ  Ｐｅｒｍａｎｅｎｔ  Ｍａｇｎｅｔ）のインナーロータタイプのモータである。しかしながら、モータ１は、ロータコア内に界磁磁石が配置されたＩＰＭ（Ｉｎｔｅｒｉｏｒ  Ｐｅｒｍａｎｅｎｔ  Ｍａｇｎｅｔ）のモータであってもよいし、アウターロータタイプのモータであってもよい。また、界磁磁石３２及びティース２２の数は、本実施形態の構成とは異なってもよい。
【００７３】
前記実施形態では、ヨーク片２１ａは、ヨーク２１を分割することにより得られる分割部２１ｃと、ティース２２とを有する。すなわち、ヨーク２１は、各ヨーク片２１ａがティース２２を１つずつ含むように破断分割されている。しかしながら、各ティース２２が異なるヨーク片２１ａに含まれていれば、ヨーク２１を周方向にどのように分割してもよい。例えば、ヨーク２１の一部を、ティース２２を含まないヨーク片２１ａに分割してもよい。すなわち、ティース２２は、複数のヨーク片２１ａのうち少なくとも一部のヨーク片２１ａに、一つずつ設けられている。
【００７４】
具体的には、ティース２２を有するヨーク片２１ａと、ティース２２を有しないヨーク片２１ａとが交互に位置するように、ヨーク２１を破断分割してもよい。また、ティース２２を有するヨーク片２１ａとティース２２を有する別のヨーク片２１ａとの間に、ティース２２を有しないヨーク片２１ａが複数、位置するように、ヨーク２１を破断分割してもよい。
【００７５】
また、上述の図５に示すように、ステータコア１０１をステータの軸線方向に複数に分割する構成において、円環状部品１０２，１０３の少なくとも一方を、ティース１１２を有しないヨーク片が含まれるように破断分割してもよい。この場合、ティース１１２の少なくとも一部を含むヨーク片とティース１１２の少なくとも一部を含むヨーク片との間に、ティース１１２を有しないヨーク片が１つ以上、位置するように、円環状部品１０２，１０３を破断分割してもよい。
【００７６】
なお、前記実施形態において、破断面２１ｂは、圧粉鉄心であるステータコア１１のヨーク２１において、粒子が凝集力を失って破壊される際に各ヨーク片２１ａに形成された面を意味している。すなわち、破断面２１は、ヨーク２１が破断分割された後に、ヨーク片２１ａがヨーク２１の周方向に有する面である。破断面２１ｂは、ヨーク２１を構成する複数のヨーク片２１ａのうち隣り合うヨーク片２１ａにおいて、対向する破断面２１ｂの凹凸と接触する凹凸を有する面である。なお、凹凸の接触とは、面に形成された凹凸が全体で接触する場合だけでなく、凹凸の一部が接触している場合も含む。
【符号の説明】
【００７７】
１、１００  モータ（回転電機）
２  ステータ
３  ロータ
１１、１０１  ステータコア
１２  ステータコイル
２１  ヨーク
２１ａ  ヨーク片
２１ｂ  破断面
２１ｃ  分割部
２２  ティース
２２ａ  ティース本体部
２２ｂ  ティース先端部
２２ｃ  Ｒ部
３１  ロータコア
３２  界磁磁石
１０２、１０３  円環状部品（筒部）
【図１】
0006761310.tif 000002
【図２】
0006761310.tif 000003
【図３】
0006761310.tif 000004
【図４】
0006761310.tif 000005
【図５】
0006761310.tif 000006